(57)【要約】２５３＋／−２５ｎｍ〜３６５＋／−２５ｎｍの紫外線の波長で活性化されたときに状態を変えることができる紫外線感知状態変化材料を利用する光媒体著作権侵害方法及びシステムであって、状態変化材料はデジタルデータ印と関連しており、状態変化材料が紫外線によって状態を変えるために活性化されると、光媒体が読み取り不能状態から読み取り可能状態に、あるいはあまり読み取ることができない状態からさらに読み取ることができる状態に移行する。【特許請求の範囲】
【請求項１】
デジタル記録媒体の著作権侵害保護のための方法であって、有効な状態又はエラー読み取り状態を示すデジタルデータ印と関連する紫外線感知状態変化材料を備える、ポリマーハウジング内に梱包されているデジタル記録媒体を取得することであって、前記状態変化材料が、２５３＋／−２５ｎｍ〜３６５＋／−２５ｎｍの紫外線波長によって状態変化材料が活性化されたときに、読取装置によって読み取られる関連するデジタルデータ印が別の有効な状態又はエラー状態、つまり別の読み取り状態として読み取られるように前記デジタルデータ印と関連付けられ、デジタルデータ状態の変化により、読取装置がさらに多くの情報をデジタル記録媒体から読み取ることができることと、２５３＋／−２５ｎｍ〜３６５＋／−２５ｎｍの波長での紫外線を、前記デジタル記録媒体で前記梱包ハウジングを通して向けることとを備える方法。
【請求項２】
ポリマーハウジングパッケージがポリプロピレンを備える請求項１に記載の方法。
【請求項３】
ポリマーハウジングパッケージがポリエチレンを備える請求項１に記載の方法。
【請求項４】
ポリマーハウジングパッケージが高分子フィルムの中にくるまれ、紫外線が高分子フィルムとポリマーハウジングパッケージの両方を通って向けられる請求項２に記載の方法。
【請求項５】
高分子フィルムがポリエチレン、セロファン及びポリプロピレンからなる群の１つ又は複数から選択される請求項４に記載の方法。
【請求項６】
デジタル記録媒体の著作権侵害保護のためのシステムであって、ポリマーハウジング内に梱包され、有効な状態又はエラー読み取り状態を示すデジタルデータ印と関連する紫外線感知状態変化材料を備えるデジタル記録媒体であって、前記状態変化材料が２５３＋／−２５ｎｍ〜３６５＋／−２５ｎｍの紫外線波長によって状態変化材料が活性化されたときに、読取装置によって読み取られる関連するデジタルデータ印が別の有効な状態又はエラー状態、つまり別の読み取り状態として読み取られるように前記デジタルデータ印と関連付けられ、デジタルデータ状態の変化により、読取装置がさらに多くの情報をデジタル記録媒体から読み取ることができるデジタル記録媒体と、梱包されたデジタル記録媒体でこのような電波を放射できる２５３＋／−２５ｎｍ〜３６５＋／−２５ｎｍの波長を放射する紫外線エミッタと備えるシステム。
【請求項７】
前記ポリマーハウジングパッケージがポリプロピレンを備える請求項６に記載のシステム。
【請求項８】
前記ポリマーハウジングパッケージがポリエチレンを備える請求項６に記載のシステム。
【請求項９】
前記ポリマーハウジングパッケージが高分子フィルムの中にくるまれる請求項７に記載のシステム。
【請求項１０】
前記高分子フィルムがポリエチレン、セロファン及びポリプロピレンからなる群の１つ又は複数から選択される請求項９に記載のシステム。
【発明の詳細な説明】
【技術分野】
【０００１】
本発明は概して、読取装置によって読み取り可能な情報を記憶する可搬型媒体を流通網に沿ったどこかでの著作権侵害から保護することに関する。
【０００２】
本出願は、２００５年４月１８日に出願された米国仮出願第６０／６７２，２６５号、２００５年４月２１日に出願された第６０，６７３，４５６号、及び２００５年９月８日に出願された第６０／７１５，０７１号に対する優先権を主張する。それぞれのこのような出願は、追加の又は代替の詳細、特徴及び／又は技術的な背景の教示のために適切な場合に参照によりその全体が本明細書に組み込まれ、優先権がそれぞれから主張される。
【背景技術】
【０００３】
視覚的及び聴覚的なデジタルデータ等のソフトウェア及び他の形式のコンテンツデータの開発は時間とお金に対する大きな投資を意味している。このようなコンテンツデータは通常、次に購入者に販売される、可搬型の記憶媒体にデジタル形式で記憶されている。残念なことに、大部分の従来の可搬型記録媒体を用いる場合、可搬型記憶媒体からのデータの抽出はその流通網のどこかで起こり得る。さらに、記録媒体の移送可能性を考えると、通常、流通網から媒体を人目につかずに移動することは容易である。
【特許文献１】なし
【非特許文献１】なし
【発明の開示】
【発明が解決しようとする課題】
【０００４】
可搬型の記録媒体は特に、万引き及び流通網内の盗難にあいやすい。販売店での万引き、及び流通網における盗難は、売り手と消費者両者に悪影響を及ぼす重大な問題である。全商品の万引きに関して、小売業者は年間に１００億ドル〜１２０億ドルの損失を被り、さらに万引きを防止するためのセキュリティ機器と保安要員を含む万引き防止策に７０億ドル〜１００億ドルを費やしていると推定されてもよい。万引き及び流通網の盗難の損失を埋め合わせるために、売り手はこれらの損失を商品に付けられるさらに高い値段という形で消費者に回している。米国内の各家庭は、万引き単独による損失に起因する商品の小売価格の上昇に毎年約２００ドルを小売業者に支払っていると推定されてもよい。
【０００５】
また、製品を不正に除去することに起因するサプライチェーンにおける損失を有することも珍しいことではない。いくつかの地域での損失の割合は３０パーセントにも及ぶことがあると見積もる人もいる。
【０００６】
可搬型記録媒体でのコンテンツデータ著作権侵害を抑制しようとする多数の試みがあった。１つの手法では、連載されているコンテンツデータの未許可のコピーの追跡を可能にするために通し番号がコンテンツデータに付けられている。この方法の問題点は、それが違法コピーを追い詰めるには外部の執行機関の作業を必要とし、品目が特定の人物と関連付けられていないときには相対的にほとんど役に立たないという点である。さらに、このようなシステムの多数のハッカーは通し番号の位置を突き止め、消去することが相対的にたやすいことに気付いている。
【０００７】
万引きと流通網の盗難を抑止するために、在庫品の各商品に取り付けられている可搬型のトランスポンダタグ（ＲＦＩＤ等）を含む電子商品監視（ＥＡＳ）システムを利用するエンティティもある。可搬型記録媒体に関しては、このようなトランスポンダタグは、通常、媒体を取り囲む梱包と結び付けられている。ＥＡＳシステムは、さらにトランスポンダタグを検出するために出口に設置されている１つ又は複数の電子読取装置を含む。ある品目が購入される、あるいは許可された方法で流通網から取り除かれると、トランスポンダタグは無効にされる、あるいは商品から取り除かれ、商品は警報を鳴らすことなく読取装置を通過できる。人が許可なく商品を取り除こうと試みると、読取装置は無効にされていない、あるいは商品から取り除かれていないトランスポンダタグを検出し、警報を鳴らす。
【０００８】
可搬型記録媒体は、多くの場合小さく、容易に隠されるため、所望の記録媒体をその包装から取り除き、媒体を隠し、次に隠れて媒体を取り除くことだけで、ＥＡＳシステムを容易に切り抜けることができる。一般的には、媒体が取り除かれた後、その上のデータは容易にコピーされる。記録媒体の費用、包装全体の読み取りを実現するようにＲＦＩＤを付けることの難しさ、及び機内での使用が認められていないこのようなシステムによって利用される無線周波数を含むいくつかの理由から、除ＲＦＩＤをデジタル記録媒体に直接的に載せることは除外されてきた。
【０００９】
また、返品されている商品が販売店によって扱われる場合に、商品の調達人が顧客又は流通業者が購入の証拠がないときにも自由に商品を返品できるようにするときにも盗難が発生する可能性がある。値下げした販売価格で商品を購入してから、あるいはこのような商品を盗み取ってから、商品の正価を支払ったと主張し、商品を交換又は返金のために同じ又は別の調達人に返品する人もいる。デジタル記録媒体に関しては、返金の要求は、デジタル記録媒体がダウンロードされた後に出されることがある。調達人が正価を返金する場合、調達人は返品された商品を処理する費用に加えて購入価格を超える金額を失うことになる。
【００１０】
著作権侵害から保護する１つの特に有用な方法は、媒体の上で、前記状態変化材料が活性化されるとデジタルデータの印の読み取りが変わるように可搬型デジタル記録媒体の上に１つ又は複数のデジタルデータの印に関連する状態変化材料を組み込むことであり、状態変化が、販売時等の所望の流通網のある時点で誘発され、その結果デジタル記録媒体が、デジタル読取装置による読み取り不能状態又は半読み取り可能状態から完全に読み取り可能な状態又はさらに読み取り可能に移行する。このような方法は大いに有望であるが、大部分のデジタル媒体を囲む梱包に起因して状態変化を誘発する際に困難に遭遇する。このような梱包は、例えばポリエチレン、セロファン、又はポリプロピレンフィルムを備えてもよい透明皮膜で巻かれたポリプロピレン外形を備えることがある。デジタル記録媒体をその梱包から取り外し、媒体と関連する状態変化材料に関して状態変化が誘発され、その後媒体を梱包の中に元に戻すことは多くの小売環境において実施できない。したがって、デジタル媒体を梱包から取り外すことを必要とせずに状態変化を誘発する改善された技法に対するニーズがある。
【００１１】
定義
「デジタルデータの印」：デジタルデータ読み取りに対応するデジタル記録媒体上の１つ又は複数の印。このような印は、光記録媒体上の光学的なピットとランド、フロッピーディスク上の電磁的に改変された部分、デジタル読み取りのために改変された記録染料、データ読み取りを表す句読点（ｐｕｎｃｔｕａｔｅ）印を含む。
【００１２】
「デジタル読取装置」：デジタル記録媒体に記録されているデジタル情報を検出し、読み取ることができる任意の装置。
【００１３】
「デジタル記録媒体」：その上に情報をデジタル形式で記憶できる任意の幾何学形状（必ずしも円形ではない）の媒体。デジタル記録媒体は、無制限にＣＤ、ＤＶＤ、ＨＤ−ＤＶＤ、磁気テープと磁気ディスク、フラッシュドライブ、及び光学媒体を含む。媒体に記憶される情報は、制限なく、ソフトウェアプログラム、ソフトウェアデータ、音声ファイル及びビデオファイルを含んでもよい。
【００１４】
「光活性化状態変化材料」：光の波長、又はサブ波長の適用時、あるいは材料への光子エネルギーの適用時に測定可能な状態関数を変える状態変化材料。
【００１５】
「光媒体」：光学式読取装置によって読み取られてもよい印又はコンテンツを記憶できる任意の幾何学形状（必ずしも円形ではない）媒体。
【００１６】
「光学式読取装置」：光媒体の読み取りのための（以下に明示されるような）読取装置。
【００１７】
「恒久状態変化材料」：エネルギーが材料に適用されるときに測定可能な状態関数を変更するためにいったん活性化されると、恒久的に、あるいは長時間、このような状態に留まる状態変化材料。
【００１８】
「高速状態変化材料」：活性化ソースによる活性時に第１の状態から第２の状態に１分未満で変化し、両方の状態が読取装置によって認識できる状態変化材料。
【００１９】
「読取装置」：記録媒体上のデータを読み取るための装置。用語「読取装置」によって、制限なくプレーヤを含むことが意味される。例はＣＤ読取装置とＤＶＤ読取装置である。
【００２０】
「音声活性化状態変化材料」：材料に音響エネルギーがかけられると、材料の測定可能な特性を変える状態変化材料。
【００２１】
「状態変化材料」：材料にエネルギーがかけられることによって材料が活性化するときに、材料の測定可能な特性を変えることができる材料。「状態変化材料」によって、エネルギーが材料にかけられると光学状態（つまり、不透明性及び／又は色）が変化する材料、エネルギーが材料にかけられると電磁状態（例えば、電気伝導状態）が変化する材料、及びエネルギーが材料にかけられると物理的な状態が（例えば結晶構造から非晶質構造に）変化する材料を制限なく含むことが意味される。
【００２２】
「一時状態変化材料」：エネルギーが材料にかけられるときに材料の測定可能な特性を変更するためにいったん活性化されると、１年未満の期間このような状態に留まる状態変化材料。
【００２３】
「過渡状態変化材料」：短期間（数分以下）に自然発生的に材料の測定可能な特性を変更するためにいったん活性化されると、測定可能な特性のこのような変化を失う状態変化材料。それは、エネルギーがかけられるときに第１の状態から第２の状態に移行し、エネルギーがかけられなくても第１の状態に戻る材料を制限なく含む。
【００２４】
「可搬型デジタル記録媒体」：手によってある場所から別の場所に運ぶことができる相対的に小型の媒体。それは、光ディスク、フロッピーディスク、フラッシュドライブを制限なく含む。
【００２５】
本開示の残りのために、前記に定義されたような用語が、このような用語がすべて頭文字が大文字であるかどうかに関係なく意図されることが理解される。
【課題を解決するための手段】
【００２６】
本発明は、２５３＋／−２５ｎｍ〜３６５＋／−２５ｎｍの波長で発射する紫外線光源の適用により読取装置上で読み取り可能な、著作権侵害から保護されている可搬型記録媒体の活性化に備える。特定の実施形態では、デジタル読取装置で読み取り可能である、プライバシーが保護されているデジタル記録媒体が提供される。
【００２７】
ＣＤとＤＶＤのプラスチックケースは、多くの材料、特にポリプロピレンを備え、透明から黒色に及ぶ多岐に渡る色で提供されてもよい。
【００２８】
本発明の実施形態では、紫外線感知状態変化材料が第１の状態にはあるが、第２の状態にはないときに印の読み取りが妨害されるように、その上のデータ印に関連して紫外線感知状態変化材料をその上に組み込んだ可搬型デジタル記録媒体が提供されている。１つのデジタル実施形態では、紫外線感知状態変化材料は、デジタルデータ印の読み取りが、前記状態変化材料が紫外線光によって活性化されると変わるように、１つ又は複数のデジタルデータ印と関連している。状態変化は、販売時等、流通網の所望される時点で誘発されてよく、その結果読み取り媒体は、デジタル読取装置による読み取り不能状態又は半読み取り可能状態から、完全に読み取り可能な状態又はさらに読み取り可能な状態に移行する。例えば約２５３＋／−２５ｎｍから約３６５＋／−２５ｎｍの範囲での水銀光源によって生成される紫外線光を適用することによって、人は、このような媒体がＣＤディスクとＤＶＤディスクを梱包するために標準的に使用される、制限なくポリプロピレンとポリエチレン等のポリマー梱包に保管されているときに、媒体を開梱する必要なくデジタル記録媒体と関連する紫外線感知状態変化材料の変化を誘発できる。本実施形態の一態様では、ケースは黒色ではなく、最大の波長を吸収する傾向のある色である。
【００２９】
太陽光は、約２５３＋／−２５ｎｍから約３６５＋／−２５ｎｍの範囲で、つまりその中の部分的な範囲において紫外線光に恵まれていないことがある。したがって、状態を読み取る又は半読み取り（ｓｅｍｉ−ｒｅａｄ）ために活性化される媒体を設計することは、（小売販売時又は小売販売後等の）活性化が実際に許可されているときよりむしろ、それが周囲環境による活性化を妨げるという点で有利であることがある。
【００３０】
実施形態では、可搬型記録媒体は状態変化材料がこのような読み取りに必要な状態に活性化されるまで媒体が読み取り可能又は完全に読み取り可能ではないという点で、盗難、つまりデジタル記録媒体を流通網の中で、及び中から不法に移動することから保護されている。デジタル記録媒体に関して、状態変化材料と関連するデジタルデータ印の１つ又は複数が名目的ではない（ｎｏｎ−ｎｏｍｉｎａｌ）又は特殊（つまり、物理的な構造において名目的であるが、標準的なデータ印と関連していない材料、環境等と関連している）であってよく、可搬型デジタル記録媒体を読み取り不能、つまり特定の情報に関して読み取り不能にする。状態変化材料が、状態変化材料が活性化されるときに、材料と関連する名目的ではない／特殊な印が媒体上のデジタルデータの読み取りを阻止しなくなるように選択される。
【発明を実施するための最良の形態】
【００３１】
本発明は、紫外線光状態変化材料を可搬型記録媒体に適用することによって、紫外線感知光変化材料の活性化まで媒体の読み取りを防止するように、流通網に沿ったどこかで著作権侵害から情報を記憶する可搬型媒体を保護することに備える。
【００３２】
保護は、紫外線エネルギー源を適用することにより、制限されているデータ読み取りからより完全なデータ読み取りに記録媒体のデータ読み取りを随意に変えることができるようにすることによって実現されてもよい。デジタル記録媒体では、状態変化材料は、材料の状態が変化すると、１つ又は複数の関連するデジタルデータ印のデータ読み取りが変えられるようにデジタルデータ印と関連付けられてもよい。状態変化材料は、他の材料タイプの内で、一時状態変化材料、過渡状態変化材料、恒久状態変化材料、高速状態変化材料、光活性化状態変化材料、及び／又は音声活性化状態変化材料であってもよい。
【００３３】
状態変化材料の外部活性化は、好ましくは、特に約２５３＋／−２５ｎｍ〜約３６５＋／−２５ｎｍの紫外線範囲の中で電磁波を生成するエネルギー源によってであってよく、読取装置によって読み取り可能である測定可能な状態変化を引き起こし、それが関連付けられているデータ印に読み取り又は読み取りステータス（例えば、読み取り不能から読み取り可能に）を変える任意のエネルギー源によってであってもよい。
【００３４】
デジタル記録媒体に関する実施形態では、１つ又は複数のデジタルデータ印の読み取りは、状態変化材料の活性化によって別の状態に変えられる（例えば、光読み取り媒体に関して光学状態の変化、又は電磁記録媒体に関して電磁状態の変化）。１つ又は複数のデジタルデータ印が状態変化材料と関連してもよい。複数の状態変化材料が使用されてよく、それぞれが同じ紫外線波長、異なる紫外線波長、又はこのような紫外線波長と（別の波長等の）別のエネルギー活性化ソースに反応する。このような関連付けは、状態変化材料がデジタル記録媒体上のデジタルデータ印のいくつかだけと関連付けられている等、選択的であってもよい、あるいは状態変化材料は、デジタルデータ印の大多数、すべて又は実質的にすべてと関連付けられてもよい。
【００３５】
実施形態では、有効状態又はエラー読み取り状態を示すデジタルデータ印と関連する紫外線感知状態変化材料を備える、ポリマーハウジング内に梱包されているデジタル記録媒体を取得することであって、状態変化材料が、２５３＋／−２５ｎｍ〜３６５＋／−２５ｎｍの紫外線波長によって状態変化材料が活性化したときに、読取装置によって読み取られる関連デジタルデータ印が別の有効状態又はエラー状態、つまり別の読み取り状態として読み取られ、デジタルデータ状態の変化により読取装置がデジタル記録媒体からさらに多くの情報を読み取ることができるようにすることと、デジタル記録媒体において梱包ハウジングを通る２５３＋／−２５ｎｍ〜３６５＋／−２５ｎｍの波長で紫外線を向けることとを備えるデジタル記録媒体の著作権侵害保護の方法が開示されている。
【００３６】
別の実施形態では、ポリマーハウジングパッケージがポリプロピレンを備えるシステムが開示されている。
【００３７】
読み取り変化は、例えば印間の物理的な違い（例えば、状態変化材料が名目的な印と名目的ではない印の両方と関連付けられている）、（例えば全体として記録媒体のデジタルデータ印に比較して特殊な印の領域で既存の又は紛失中の化合物等の）このような特殊な印に関連する環境の違い、あるいは特定の波長又はエネルギー伝送に対する選択的な応答（例えば、いくつかの領域は、他の領域で見つけられる紫外線感知状態変化材料とは別個の２５３＋／−２５ｎｍ〜３６５＋／−２５ｎｍの範囲内の波長によって活性化される紫外線感知状態変化材料を備える）に基づいて特定の印に関してだけ達成されてもよい。デジタル記録媒体に関して、印は光記録媒体上に組み込まれているデータを表すピット及び／又はランド、あるいは電磁記録媒体上での電磁収差等の他のデジタルデータ印であってもよい。
【００３８】
特定のデジタル記録媒体実施形態では、状態変化材料は記録媒体のための名目的なデジタルデータ印ではないデジタルデータ印と関連する。例えば、デジタルデータ印は、光ディスクフォーマットのために名目的（標準）ではないピット及び／又はランドであってもよい。このような実施形態における名目的ではないデジタルデータは、例えば、媒体と関連するエラー訂正アルゴリズムを手段として、あるいは媒体又は読取装置と関連するソフトウェア又はファームウェアを手段として、ディスクを全体として又は部分的に読み取り不能にする。このような名目的ではないデジタルデータ印と関連する状態変化材料は、記録媒体を（例えばエラー訂正アルゴリズムによってデータ読み取りの訂正を可能にすることによって）全体的に又は部分的に読み取ることができるように、状態変化材料の状態変化時に読み取りを（全体的に又は部分的に）阻止するこのような名目的ではないデジタルデータ印の読み取りに変化を生じさせるために選択されてもよい。名目的ではないデジタルデータ印はエラー読み取り又は有効な読み取りに相当する、又は引き起こしてもよい。例えば、名目的ではないデジタルデータ印がエラー読み取りに相当する、又はエラー読み取りを引き起こすとき、それと関連する状態変化材料は、全体として光媒体の読み取りにとって必要である、有効な読み取り状態又は別のエラー状態を生じさせるために選ばれてもよい。さらに、例えば、名目的ではないデジタルデータ印が有効なデータ読み取りに相当する、又は有効なデータ読み取りを生じさせるとき、状態変化材料は、活性化時に、別の有効な状態又は一般的に媒体の読み取りに必要なエラー状態のどちらかを引き起こすように選ばれてもよい。全体としての媒体の読み取りは媒体に記憶されているソフトウェアプログラムの制御下に、読取装置のハードウェア内に、読取装置と関連するハードウェア又はソフトウェア内にあってもよいか、あるいは（光ディスク訂正アルゴリズムのような）読み取られている特定の媒体と関連するエラー訂正アルゴリズムの関数であってもよい。
【００３９】
さらに別の実施形態では、記録媒体は初期状態では再生不能（ｕｎｐｌａｙａｂｌｅ）となるように設計される、あるいは読取装置によって媒体から読み取り可能なデジタル情報の量が制限されている。状態変化材料の活性化は、媒体の読み取り又は完全な読み取りに必要である。
【００４０】
デジタル記録媒体実施形態では、媒体の読み取りにおいて訂正不可能なエラー状態を誘発するであろう光状態変化材料が存在するときの固有のピット及び／又はランドが検出される。状態変化材料が、制限なく、光又は音等の適切なエネルギー源によって活性化されると、固有のピット又はランドの読み取りは、訂正不可能なエラー状態を媒体を読み取ることを可能にする有効な状態に変化させるために変えられてもよい。
【００４１】
デジタル記録媒体を読み取らせないデジタルデータ印も、読取装置又はディスクと関連する１つ又は複数のアルゴリズムのために、デジタル記録媒体（又はデジタル記録媒体の一部）の読み取りを禁止する曖昧な読み取り又は曖昧ではない読み取りを提供する可能性がある有効な状態である可能性がある。状態変化材料の活性化は、媒体の完全な読み取り（又は媒体の部分）のために読取装置システム又は媒体、あるいはファームウェア／ハードウェアセットアップと関連するアルゴリズムのために必要であるこのような有効な状態を別の有効な状態又はエラー状態に変換させることができるであろう。同様に、デジタルデータ印は、別のエラー状態又は有効な状態が状態変化材料の活性化時に生成されるときにだけ、このようなアルゴリズム又はファームウェア／ハードウェアセットアップのために読み取りが達成されたエラー状態である可能性がある。
【００４２】
デジタルデータ記録媒体の一実施形態では、デジタルデータ記録媒体は、媒体が読み取られるのを禁止する、又は読み取られる媒体の一部を禁止するエラーデータ読み取りを引き起こすデジタルデータ印を備える。記録媒体が状態変化材料を変換するための適切なエネルギー源にさらされるとき、データ読み取りは、記録媒体の読み取りを可能にする有効な状態に変えられる。
【００４３】
一実施形態では、状態変化材料はスピンコーティングされる、又はデジタル記録媒体全体の上に置かれ、材料は、それが名目的なデジタルデータ印であるが、特殊デジタルデータ印だけの読み取りに影響を及ぼさないように選択される。スピンコーティングの時点で（例えば２０００ＲＰＭではＡｐｐｌｉｃａｔｉｏｎ  ６００ＲＰＭ、Ｄｗｅｌｌ、及びＳｐｉｎ  Ｏｆｆ  ５０００ＲＰＭ等の）異なるスピンコーティング速度が使用されてもよい。特殊なデジタルデータ印は、デジタル記録媒体上の（異なる寸法、及び／又は形状、及び／又は製造のピット等の）他のデジタルデータ印とは構造で異なる可能性がある、あるいはこのような特殊なデジタルデータ印は他のデジタルデータ印に関して検出されない１つ又は複数の材料と関連している可能性がある、又は（つまり、特殊なデジタルデータ印ではないが）他のデジタルデータ印と関連する１つ又は複数の紛失中の材料である可能性がある。例えば、特殊デジタルデータ印は状態変化材料と関連する他のデジタルデータ印と関連する酸化スカベンジャーと関連していない可能性がある。このような酸化スカベンジャーが欠落していると状態変化材料は活性化状態に恒久的にあるいはかなりの期間留まる可能性があるが、このような酸化スカベンジャーは、状態変化材料のその元の状態への迅速な変換を引き起こしてもよい。それらは他の名目的なデジタルデータ印と同じ構造であり、状態変化材料における適切な状態変化のために必要な、又は所望の期間活性化された状態変化を保つために必要なそれらの環境において１つ又は複数の材料を欠落しているが、状態変化材料は、（媒体の読取装置上での読み取りを阻止している印である「読み取りブロックデジタルデータ印」である可能性がある）それらの特殊デジタルデータ印を除き、名目的なデジタルデータ印のすべてがデジタル媒体上で読み取られることを可能にするように変化してもよい。したがって、特殊デジタルデータ印に関して、本開示のこのような実施形態を達成するために、デジタル記録媒体上で設計された下部構造（名目的ではないデジタルデータ印）に対するニーズはない可能性がある。
【００４４】
状態変化材料は代りに（又はスピンコーティング又は記録媒体の表面の１つでの設置と組み合わされて）デジタル記録媒体の適切に含まれてもよい。例えば、記録染料が、デジタル記録媒体を製造するために使用されるポリカーボネートペレットの中に混合されてもよい。
【００４５】
量子染料等の状態変化材料はデジタル記録媒体上にデジタルデータ印のすべて又は実質的にすべてと関連して設置できる。状態変化材料は、このような印と関連して、デジタル記録媒体を読み取ることはできないが、活性化時に、状態変化がデジタル記録媒体の読み取りを可能とするように選択できる。
【００４６】
状態変化材料は一実施形態において、例えば光媒体における反射又は屈折に影響を及ぼしてもよい。
【００４７】
一応用例では、データ記録媒体は、ポリプロピレン及び／又はポリエチレン又は紫外線波長がそれを通して放射される他の材料を備える梱包の中に入れられる。紫外線感知状態変化材料は、Ａｍｒａｙケースのような梱包を選択された発生源が与えられた予想エネルギーレベルで通過する２５３＋／−２５ｎｍ〜３６５＋／−２５ｎｍの範囲で紫外線に敏感となるように選択される。材料の活性化時、読み取られたデジタルデータ印は、より堅牢な様式で又は完全に、媒体又はファームウェア／ハードウェアセットアップの読み取りを可能にするために所与のソフトウェア制御又はエラー訂正アルゴリズムを考慮すると、必要である様式で（エラーから有効、有効から有効、有効からエラー、エラーからエラー、読み取り可能から読み取り不能、又は逆の場合）変えられる。
【００４８】
正しい紫外線周波数でのチェックアウト時に選択的に活性化することによって、初期に読み取り不能な記録媒体は、紫外線感知状態変化材料が著作権侵害保護に利用されると読み取り可能になり得る。状態変化材料の活性化は、２５３＋／−２５ｎｍ〜３６５＋／−２５ｎｍの範囲で単一の又は複数の紫外線波長を含んでもよい。活性化は、例えば、エラー状態、つまり読み取り不能状態にあるディスクを有効状態、つまり正しく再生する読み取り可能状態にあるディスクにすることができる。
【００４９】
一般的には、このようなデジタル記録媒体の小売販売の目的のためには、活性化が恒久的且つ逆にできないことが好ましい。
【００５０】
このような紫外線波長範囲内での賢明な活性化によって、デジタル記録媒体は、太陽光では活性化されない、つまり容易に活性化されないように設計されてもよい。状態変化材料の選択は最小活性化時間（例えば、小売環境において、活性化が好ましくは１分未満であってもよい）、（好ましくは製品の総原価をほとんど増加させない可能性がある）材料の原価、及び（媒体が将来の時間枠で性能が劣化することを所望されない限り、最小化されてもよい）デジタル記録媒体の長期性能に対するその影響を考慮に入れてもよい。発生源、及びそのエネルギーを考慮すると、人は一度に複数の／積み重ねられた／層化したディスクの活性化を可能にするために状態変化材料を選択してもよい。
【００５１】
小売終点までの製造が所望されてもよい。活性化がこのような岐路で実行される場合に、活性化は、好ましくは、小売環境において簡略且つ確実でなければならない。記録媒体が容易に分解して模倣されない（例えば、状態変化材料の化学作用、又は状態変化材料の設置を再現することが困難である）ことが好ましいことがある。１つの有用な小売ケースでは、記録媒体は小売販売までサプライチェーンで活性化されず、活性化機構はチェックアウト時に、検出又は分解して模倣することが困難となるように設計されてもよい。
【００５２】
特殊デジタルデータ印又は名目的ではないデジタルデータ印が、固有となるように記録媒体上で利用されるとき、特殊デジタルデータ印又は名目的ではないデジタルデータ印は探知又は追跡、及びデジタル記録媒体の認証のために使用されてよく、したがってＲＦＩＤ及び他のこのようなタグの代りに使用されてもよい。
【００５３】
状態変化材料又は特殊デジタルデータ印又は名目的ではないデジタルデータ印は明確に設置されてもよい。例えば、名目的ではないピットが使用されるとき、それらは電波を活性化領域に集中、収束させるのに役立つために先導領域（ｌｅａｄ  ａｒｅａ）に設置されてもよい。状態変化材料は、記録媒体の製造中又は製造後に設置されてもよい。例えば、状態変化材料は、メタライゼーション又は接合の前に成形品上に設置されてもよい、あるいはデジタル記録媒体の製造中のスパッタコーティングでデジタル記録媒体に添加されてもよい。
【００５４】
記録媒体は、例えば（ＣＤ、ＤＶＤ、ＤＶＤ−Ｒ、ＨＤ−ＤＶＤ、Ｂｌｕ−Ｒａｙ等の）光ディスク、磁気テープ、フロッピーディスク等であってもよい。記録媒体はデジタル形式及び／又はアナログ形式でデータを記憶してもよい。
【００５５】
活性化は、小売販売等の流通網又は製造者連鎖の任意の時点であってもよい。活性化は、購入者への移動前の指定されたスペクトル範囲における紫外線放射によってであってもよい、あるいはデータのすべて又は何らかの部分を購入者が読み取ることができるようにするために、さらに家庭でのように他の流通後の活性化を必要としてもよい。例えば、追加の活性化は、デジタル記録媒体を活性化するために必要なパスコード又は他の情報を突き止めるためにウェブサイトに入ることを手段としてもよい。同様に、活性化は、紫外光源による活性化だけではなく、流通網又は製造者連鎖の任意の時点で入るウェブサイトを手段としてもよい。
【実施例】
【００５６】
標準的なＣＤプラスチックケースのＵＶスペクトルが採取されてもよい。代表的なプラスチックケースは、２５３．７ｎｍで弱い吸光度、３６５．０ｎｍで８０％、及び２９６．７ｎｍで約５０％を示してもよい。
【００５７】
好ましい実施形態に関する記述
本発明は好ましい実施形態に関して説明されてきたが、当業者は、添付請求項により定義されるような本発明の精神又は範囲から逸脱することなく、本発明に多様な変更及び／又は修正を加えることができることを容易に理解する。本明細書に引用される全文書は、追加又は代替の詳細、特徴、及び／又は技術的な背景の教示のために、適宜に参照により本明細書に組み込まれる。